(57)【要約】【課題】レリーズスイッチの操作性を向上したカメラを提供する。【解決手段】カメラ本体１２の上面１２ａには傾斜面１３が形成されている。傾斜面１３にはホルダー１８が回転可能に設けられ、このホルダー１８にはレリーズスイッチ３０が設けられている。傾斜面１３を形成することで、手の指が自然にレリーズスイッチまで到達できる。また、ホルダー１８を回転させることでレリーズスイッチ３０を傾斜面１３における所望の位置に移動できるので、カメラ底面からレリーズスイッチまでの高さを調整でき、撮影者によって手の大きさやカメラ１０の持ち方が異なる場合にも、レリーズスイッチ３０を無理なく操作できる。【選択図】    図１
2004177454.tif 000002
【特許請求の範囲】
【請求項１】
レリーズスイッチが備えられたカメラであって、
該カメラの上面の一部に傾斜面が形成されるとともに、
前記レリーズスイッチを、少なくともカメラ底面からの高さが異なる任意の位置に移動させるレリーズスイッチ移動手段が、前記傾斜面上に配置されていることを特徴とするカメラ。
【請求項２】
前記レリーズスイッチ移動手段は、
前記傾斜面上に設けられ、前記傾斜面に沿って回転可能な可動部材にて構成されるとともに、該可動部材に前記レリーズスイッチが備えられていることを特徴とする請求項１に記載されたカメラ。
【請求項３】
前記レリーズスイッチ移動手段は、
前記傾斜面上に形成された案内溝に沿って移動可能な摺動部材にて構成されるとともに、該摺動部材に前記レリーズスイッチが備えられていることを特徴とする請求項１に記載されたカメラ。
【発明の詳細な説明】
【０００１】
【発明の属する技術分野】
本発明はカメラに係り、特に、手の大きさによる撮影時の扱い難さを解消したカメラに関する。
【０００２】
【従来の技術】
周知の如く、カメラにおけるレリーズスイッチ（シャッタボタン）はカメラの上面の所定の位置に配置されて人差し指で押圧操作される。しかし、カメラ本体の小型化にともないレリーズスイッチの位置が制限されるため、このような従来のカメラではカメラを保持する部位とレリーズスイッチとの位置関係が固定され、レリーズスイッチの操作性が損なわれてしまう問題があった。すなわち、撮影者によって手の大きさやカメラの持ち方が異なるために適切なレリーズスイッチの位置が得られず、撮影者によってはレリーズスイッチを操作し難い欠点があった。
【０００３】
これを解決するために従来は、レリーズスイッチをカメラ上面で光軸に対して略垂直に移動可能とした技術が知られている（たとえば特許文献１参照。）。
【０００４】
【特許文献１】
特開平５−３１３２２５号公報
【０００５】
【発明が解決しようとする課題】
しかし、このようなカメラでは、カメラの底面からのレリーズスイッチの高さを撮影者の好みの位置とすることが困難で、レリーズスイッチを操作する人差し指に負荷がかかるなどの問題があった。
【０００６】
本発明はこのような事情に鑑みてなされたもので、レリーズスイッチの操作性を向上したカメラを提供することを目的とする。
【０００７】
【課題を解決する為の手段】
本発明は前記目的を達成する為に、レリーズスイッチが備えられたカメラであって、該カメラの上面の一部に傾斜面が形成されるとともに、前記レリーズスイッチを、少なくともカメラ底面からの高さが異なる任意の位置に移動させるレリーズスイッチ移動手段が、前記傾斜面上に配置されていることを特徴としている。
【０００８】
本発明によれば、カメラの上面の一部、たとえば上面と側面との間に生じる稜角部分に相当する位置に傾斜面を形成するとともに、傾斜面上には、レリーズスイッチを、少なくともカメラ底面からの高さが異なる任意の位置に移動させるレリーズスイッチ移動手段が設けられているので、撮影者によって手の大きさやカメラの持ち方が異なる場合にも、レリーズスイッチを傾斜面上で移動させて、レリーズスイッチを無理なく操作できる位置に位置決めできる。すなわち、カメラ保持部位の天面を傾斜させることで、手の指が自然にレリーズスイッチまで到達できる。また、カメラの底面からレリーズスイッチまでの高さを撮影者の好みに合わせて調整できるほか、撮影者の所望の位置にレリーズスイッチを配置でき、レリーズスイッチの操作性が向上できる。
【０００９】
請求項２に記載の発明によれば、このレリーズスイッチ移動手段は傾斜面上に設けられ、傾斜面に沿って回転可能な可動部材にて構成されるとともに、この可動部材にレリーズスイッチが備えられている。これにより、レリーズスイッチを傾斜面上で移動させて、レリーズスイッチを無理なく操作できる位置に位置決めでき、撮影者の所望の位置に移動、調整できる。
【００１０】
また、請求項３に記載の発明によれば、このレリーズスイッチ移動手段は傾斜面上に形成された案内溝に沿って移動可能な摺動部材にて構成されるとともに、この摺動部材にレリーズスイッチが備えられている。これによっても、レリーズスイッチを傾斜面上で移動させて、レリーズスイッチを無理なく操作できる位置に位置決めでき、撮影者の所望の位置に移動、調整できる。
【００１１】
【発明の実施の形態】
以下、添付図面に従って、本発明に係るカメラの好ましい実施の形態について詳説する。図１は、本発明に係るカメラ１０の第１の実施の形態を示した斜視図である。
【００１２】
カメラ１０は、主としてカメラ本体１２、レンズ鏡筒１４、ホルダー１８、レリーズスイッチ３０などから構成されており、カメラ本体１２の上面には撮影ステータスを表示させる液晶表示部１６が設けられている。
【００１３】
カメラ本体１２の上面１２ａと、側面１２ｂの稜角部分に相当する位置には、同図に示すようにカメラ本体１２に大きな面取りが施されて傾斜面１３が形成されている。なお、この傾斜面１３は必ずしも平面であることに限定されず、カメラ本体１２に対して緩やかな稜線を描くように形成されていてもよい。
【００１４】
傾斜面１３の上面には、レリーズスイッチ移動手段を構成するホルダー１８が設けられている。このホルダー１８は、傾斜面１３に形成された孔部１１に嵌め込まれ、撮影者の操作によってホルダー１８を時計方向または半時計方向に回転できる。
【００１５】
このホルダー１８には、図２に示すように、ホルダー１８の回転位置を保持するための位置保持機構が設けられている。この位置保持機構は係止用ボール２４、バネ２６、凹孔１８ａなどから構成されている。
【００１６】
カメラ本体１２側におけるホルダー１８との摺動部分１３ａには長孔２８が形成されるとともに、係止用ボール２４と、この係止用ボール２４を支持付勢させるバネ２６が前記長孔２８に挿入されている。一方、ホルダー１８の側面には係止用ボール２４と係合する複数の凹孔１８ａが形成されている。この様な構成の位置保持機構によって、係止用ボール２４が凹孔１８ａに係合することでホルダー１８が保持され、撮影者の所望の位置でホルダー１８の回転がロックされる構成となっている。
【００１７】
ホルダー１８には、撮影時のシャッタ操作のためのレリーズスイッチ３０が設けられている。同図に示すようにこのレリーズスイッチ３０は、ホルダー１８の円周方向の淵部に対して近接するように形成されたレリーズ孔１８ｂに嵌め込まれ、固定ピン２１によってホルダー１８裏側から支持されている。レリーズスイッチ３０には圧縮コイルばね２５が備えられ、圧縮コイルバネ２５の上端および下端がレリーズスイッチ３０とホルダー１８の突接部１９に当接するように設けられており、レリーズスイッチ３０は、圧縮コイルばね２５によって上方に付勢力が付与される。
【００１８】
固定ピン２１の下部には接点端子２７が設けられ、さらにカメラ本体１２内部には接点回路１５，接点回路１７が設けられている。レリーズスイッチ３０が撮影者によって押圧されると接点端子２７が接点回路１５，１７に同時に接触し、接点回路１５と接点回路１７とが回路的に接続されて、後述するＣＣＤによって被写体像が撮像される。このような構成のホルダー１８によって、図１に示すようにホルダー１８を回転操作することで、レリーズスイッチ３０が傾斜面１３上で移動される。
【００１９】
カメラ本体１２の上面には主電源スイッチ２０やモード切替スイッチ２２が設けられている。主電源スイッチ２０は電源オン／オフを、また、モード切替スイッチ２２は撮影モード／再生モードを夫々切り換えるための操作手段である。
【００２０】
カメラ本体１２の正面には、略中央位置にレンズ鏡筒１４が設けられている。このレンズ鏡筒１４は、同図に示すように略円筒状で形成され、その内部には複数のレンズ３２，３２…が設けられている。カメラ本体１２の内部でこれらレンズ３２，３２…の結像位置には不図示のＣＣＤが配置され、このＣＣＤによって被写体が撮像される。
【００２１】
カメラ本体１２の内部には、カメラ１０を総合的に制御する不図示の制御基板が内蔵され、前述した接点回路１５，１７が、この制御基板と回路接続されている。また、前記ＣＣＤも制御基板に回路接続されており、レリーズスイッチ３０の押圧操作によって接点回路１５と接点回路１７とが回路的に接続されると、ＣＣＤによる撮像が行われる。
【００２２】
この他にも制御基板には、画像処理装置、メモリ、リーダ・ライタ装置（これらは図示しない）などが備えられている。ＣＣＤによる撮像時には、ＣＣＤによって撮像された被写体の光学像を画像処理装置によって電子画像データ（デジタルデータ）に変換し、得られたデジタルデータは一旦メモリに書き込まれた後、メディアスロット内の不図示のスマートメディア（記録媒体）にリーダ・ライタ装置を介して書き込まれて記録される。なお、符号３６はスマートメディアをカメラ本体１２の内部に収納するためのメディアスロットのカバー（スロットカバー）であり、スマートメディアは、このスロットカバー３６を開閉して取り出し可能で交換できる。
【００２３】
なお、カメラ本体１２の正面にはストロボ発光部３４が設けられ、同図に示すようにレンズ鏡筒１４の上方の位置に配置されている。また、カメラ本体１２の背面には不図示のＬＣＤ（液晶表示装置）を用いたモニタ表示部が設けられ、撮影する直前、もしくは撮影した画像などが表示される。撮影者は、このモニタ表示部にて被写体を確認でき、ピントや露出を確認しながら撮影することができるほか、撮影した画像もモニタ表示部で確認できる。なお、モニタ表示部上方に光学系ファインダを設けて、この光学系ファインダによって撮影者により被写体を確認できる構成としてもよい。
【００２４】
さらに、カメラ本体１２には、カメラ１０に電力を供給させるバッテリ（不図示）が内蔵されている。このバッテリによってカメラ本体１２の各機器に、不図示の回路を介して駆動に必要な電力が供給される。
【００２５】
次に、このような構成のカメラ１０の作用を図３，４を用いて以下に説明する。図３（ａ），（ｂ）に示すように、傾斜面１３を形成することで、手の指が自然にレリーズスイッチまで到達できる。また、ホルダー１８を回転させることでレリーズスイッチ３０を傾斜面１３における所望の位置に移動できるので、手の大きさ、指の長さ、握りの深さなどのカメラの持ち方の違いにも、レリーズスイッチ３０を傾斜面上で移動させて、レリーズスイッチ３０を無理なく操作できる位置に位置決めできる。これらを具体的に説明すると、たとえば手の小さな撮影者による撮影時には、図３（ａ）に示すようにホルダー１８を回転させて、傾斜面１３の下側にレリーズスイッチ３０を位置させる。これにより、カメラ１０の底面からレリーズスイッチ３０までの高さＲ１を小さくでき、手の小さな撮影者でも人差し指が自然にレリーズスイッチまで到達できる。また、これにともない側面１２ｂからの距離Ｌ１も小さくなるので、握りこみを浅くすることができる。一方、手の大きな撮影者の場合には、図３（ｂ）に示すようにホルダー１８を回転させて、傾斜面１３の上側にレリーズスイッチ３０を位置させる。これにより、カメラ１０の底面からレリーズスイッチ３０までの高さＲ２を大きくでき、手の大きな撮影者の人差し指が自然にレリーズスイッチに到達できる。また、これにともない側面１２ｂからの距離Ｌ２も大きくなるので、握りこみを深くすることができる。
【００２６】
さらに、レリーズスイッチ３０を押圧操作する人差し指の位置が、カメラ１０に対して背面側となる撮影者の場合には、図４（ａ）に示すように、距離Ｌ３が小さくなるようにホルダー１８を回転させ、レリーズスイッチ３０をカメラ１０に対して背面側に位置させる。また、人差し指の位置がカメラ１０に対して前面側となる撮影者の場合には、図４（ｂ）に示すように距離Ｌ４が大きくなるようにホルダー１８を回転させ、レリーズスイッチ３０をカメラ１０に対して前面側に位置させる。
【００２７】
この後、図１において主電源スイッチ２０をオンとし、モード切替スイッチ２２を撮影モードとする。撮影者はモニタ表示部によって被写体を捕らえ、被写体を撮影範囲に収めるようにカメラ１０を操作してフレーミングする。レリーズスイッチ３０を押圧操作することによって撮像が行われ、撮像された画像はデジタルデータとしてスマートメディアに記録される。
【００２８】
なお、撮影者によってモード切替スイッチ３４が再生モードに切り替えられると、撮像された画像（スマートメディアに記録された動画／静止画像）がモニタ表示部に表示されるが、これら詳細の説明は省略する。
【００２９】
このように、本発明に係るカメラ１０によれば、カメラ本体１２の上面の一部に傾斜面１３を形成するとともに、レリーズスイッチ３０を少なくともカメラ底面からの高さが異なる任意の位置に移動させるので、撮影者によって手の大きさやカメラの持ち方が異なる場合にもレリーズスイッチ３０を無理なく操作できる位置に位置決めできる。
【００３０】
次に、本発明に係る第２の実施の形態を図５に示すカメラ５０を用いて説明する。なお、上述したカメラ１０との同一部分には同一符号を用いて示している。
【００３１】
同図において、カメラ本体１２の傾斜面１３には前述したホルダー１８に代えて案内溝５４が設けられ、傾斜面１３に対して略×文字形状に形成されている。
【００３２】
案内溝５４には、案内溝５４に沿って移動可能に設けられたレリーズスイッチ５２が設けられている。このレリーズスイッチ５２は、図６に示すように摺動部材６０、ゴムカバー６２，位置決めねじ６４、押圧スイッチ６６にて構成されている。
【００３３】
摺動部材６０の上部には押圧スイッチ６６が設けられ、弾性体からなるゴムカバー６２が押圧スイッチ６６を覆うように摺動部材６０に取り付けられている。この押圧スイッチ６６とカメラ５０の内部に設けられた制御基板とは、不図示の回路によって回路接続されており、ゴムカバー６２（押圧スイッチ６６）の押圧操作によってＣＣＤによる撮像が行われる。なお、このＣＣＤによる撮像は、前述したカメラ１０と同様であるので、説明を省略する。
【００３４】
摺動部材６０の下部にはねじ孔（不図示）が形成され、案内溝５４を介して位置決めねじ６４が前記ねじ孔に螺合される。位置決めねじ６４には案内溝５４とかみ合うように突出部６４ａが形成されており、摺動部材６０を回転させた際に、位置決めねじ６４が摺動部材６０とともに回転（共まわり）してしまうことを防止している。
【００３５】
このような構成によって、摺動部材６０を回転させて位置決めねじ６４を緩めれば、案内溝５４に沿ってレリーズスイッチ５２を移動できる。また、撮影者の所望の位置で摺動部材６０を回転させて位置決めねじ６４を締め付ければ、レリーズスイッチ５２の位置が固定される。
【００３６】
次に、本発明に係るカメラ５０の作用を以下に説明する。図５に示すように案内溝５４に沿って傾斜面１３上でレリーズスイッチ５２を移動できるので（矢印Ｂ，Ｃ）、カメラ５０の底面からレリーズスイッチ５２までの高さを撮影者の好みに合わせて調整でき、手の大きさ、指の長さ、握りの深さなどの持ち方の違いにも対応できる。具体的には、たとえば手の小さな撮影者による撮影時には、同図における側面１２ｂに近接するようにレリーズスイッチ５２を位置させて、握りこみを浅くすることができる。一方、手の大きな撮影者の場合には、側面１２ｂから遠ざかる方向にレリーズスイッチ５２を位置させて、握りこみを深くすることができる。同様に人差し指の位置が、カメラ５０に対して背面側となる撮影者の場合には、レリーズスイッチ５２をカメラ５０に対して背面側に位置させる。また、人差し指の位置が、カメラ５０に対して前面側となる撮影者の場合には、レリーズスイッチ５２をカメラ５０に対して前面側に位置させる。
【００３７】
このように、本発明に係るカメラ５０によれば、カメラ本体１２の上面の一部に傾斜面１３を形成するとともに、レリーズスイッチ５２を少なくともカメラ底面からの高さが異なる任意の位置に移動させるので、撮影者によって手の大きさやカメラの持ち方が異なる場合にもレリーズスイッチ５２を無理なく操作できる位置に位置決めできる。
【００３８】
前述した実施の形態に示したカメラの構成は、前記実施の形態に限定されるものではない。たとえば、カメラ１０，５０としては、例としてレンズ交換などを不要としたデジタルカメラやコンパクトカメラなどを用いて示したが、これに限らずレンズ交換が可能なレフレックスデジタルカメラ（一眼レフデジタルカメラ）などにも本発明を適用できる。
【００３９】
また、カメラ５０において、案内溝５４の形状は×文字形状に限らず、たとえば□字形状や矩形形状、田文字形状などに形成してもよい。
【００４０】
さらに、カメラ１０としてはデジタルカメラに限らず、銀塩カメラでもよいことは言うまでもない。
【００４１】
【発明の効果】
以上、説明したように本発明に係るカメラによれば、カメラの上面の一部、たとえば上面と側面との間に生じる稜角部分に相当する位置に傾斜面を形成するとともに、傾斜面上には、レリーズスイッチを、少なくともカメラ底面からの高さが異なる任意の位置に移動させるレリーズスイッチ移動手段が設けられているので、撮影者によって手の大きさやカメラの持ち方が異なる場合にも、レリーズスイッチを傾斜面上で移動させて、レリーズスイッチを無理なく操作できる位置に位置決めできる。
【図面の簡単な説明】
【図１】本発明の実施の形態に係るカメラの第１の実施の形態を示す斜視図
【図２】本発明の実施の形態に係るカメラにおけるレリーズスイッチ移動手段の詳細を示す図
【図３】本発明の実施の形態に係るカメラの作用を示す説明図
【図４】本発明の実施の形態に係るカメラの別の作用を示す説明図
【図５】本発明の実施の形態に係るカメラの第２の実施の形態を示す斜視図
【図６】本発明の実施の形態に係るカメラにおけるレリーズスイッチ移動手段の詳細を示す図
【符号の説明】
１０，５０…カメラ、１２…カメラ本体、１３…傾斜面、１８…ホルダー、３０，５２…レリーズスイッチ、５４…案内溝、６０…摺動部材
【図１】
2004177454.tif 000003
【図２】
2004177454.tif 000004
【図３】
2004177454.tif 000005
【図４】
2004177454.tif 000006
【図５】
2004177454.tif 000007
【図６】
2004177454.tif 000008